(57)【要約】      （修正有）【課題】対象魚へのアピール性を高めて、対象魚の喰い気を起こし易くすることが可能な釣用装飾体、及びこれを備える疑似餌を提供する。【解決手段】釣用装飾体５０は、釣用フック１０或いは釣用フックのハリスに装着される。釣用装飾体は、軟質材料からなるシート状部材で形成されており、釣用フック或いはハリスに取り付けられる被取付部５５と、被取付部から少なくとも二方向に延びる第１シート５１及び第２シート５２と、を備える。釣用装飾体において、第１シートと第２シートとの間に、釣用フック或いはハリスの少なくとも一部が挿通可能な隙間が形成されている。【選択図】図１
0003234695.tif 000002
【実用新案登録請求の範囲】
【請求項１】
釣用フック或いは前記釣用フックのハリスに装着される釣用装飾体であって、
軟質材料からなるシート状部材で形成されており、
前記釣用フック或いは前記ハリスに取り付けられる被取付部と、
前記被取付部から少なくとも二方向に延びる第１シート及び第２シートと、を備え、
前記第１シートと前記第２シートとの間に、前記釣用フック或いは前記ハリスの少なくとも一部が挿通可能な隙間が形成されていることを特徴とする釣用装飾体。
【請求項２】
前記隙間は、当該隙間における前記被取付部側の端部を頂点とする三角形状に形成されている、請求項１に記載の釣用装飾体。
【請求項３】
前記第１シートと前記第２シートとが成す角度θは鋭角である、請求項１又は２に記載の釣用装飾体。
【請求項４】
前記角度θは、０°＜θ＜３０°の範囲内で定められた角度である、請求項１から３のいずれか一つに記載の釣用装飾体。
【請求項５】
前記第１シート及び前記第２シートは、左右対称な形状に形成されている、請求項１から４のいずれか一つに記載の釣用装飾体。
【請求項６】
前記第１シート及び前記第２シートは、左右非対称な形状に形成されている、請求項１から４のいずれか一つに記載の釣用装飾体。
【請求項７】
前記第１シート及び前記第２シートそれぞれは、魚類の鰭形状に形成されている、請求項１から６のいずれか一つに記載の釣用装飾体。
【請求項８】
釣用フックと、
前記釣用フック或いは前記釣用フックのハリスに装着される請求項１から７のいずれか一つに記載の釣用装飾体と、を備える釣用疑似餌。
【考案の詳細な説明】
【技術分野】
【０００１】
本考案は、釣用フックに装着される釣用装飾体、及びこの釣用装飾体を備える釣用疑似餌に関する。
【背景技術】
【０００２】
従来、魚釣りにおいて、ルアーと称される疑似餌を用いてターゲットとなる対象魚を釣る所謂ルアーフィッシングが広く知られている。ルアーフィッシングにおいては、釣り人は、ルアーをキャストし、ロッドを操作して、ベイトである魚や虫の動きに似るようにアクションを加えながらルアーをリトリーブする。これにより、対象魚のバイトを誘う。
【０００３】
また、対象魚に対するアピール性を上げるために、ルアーに装着されるネクタイやスカートと称される軟質材料からなる釣用装飾体が知られている（特許文献１参照）。ネクタイやスカートは、水中において水の流れや水の抵抗などによって揺れ動くため、ベイトのリアルな動作を演出する役割を担う。対象魚は、ネクタイやスカートなどの装飾体の揺動に刺激され、或いは、揺動する釣用装飾体をベイトと勘違いをして、ルアーを追い、ルアーに食いつく。
【先行技術文献】
【特許文献】
【０００４】
【特許文献１】特開２０１６−１９８０３１号公報
【考案の概要】
【考案が解決しようとする課題】
【０００５】
しかしながら、従来の釣用装飾体は、長尺帯形状或いは紐形状に形成されたものであり、水中における動作が単調になりやすく、対象魚に対するアピール性に欠ける。
【０００６】
本考案の目的は、対象魚へのアピール性を高めて、対象魚の喰い気を起こし易くすることが可能な釣用装飾体、及びこれを備える疑似餌を提供することにある。
【課題を解決するための手段】
【０００７】
(1)  本考案の一の局面に係る釣用装飾体は、釣用フック或いは前記釣用フックのハリスに装着される釣用装飾体である。前記釣用装飾体は、軟質材料からなるシート状部材で形成されており、前記釣用フック或いは前記ハリスに取り付けられる被取付部と、前記被取付部から少なくとも二方向に延びる第１シート及び第２シートと、を備える。前記釣用装飾体において、前記第１シートと前記第２シートとの間に、前記釣用フック或いは前記ハリスの少なくとも一部が挿通可能な隙間が形成されている。
【０００８】
このように釣用装飾体が構成されているため、釣用装飾体の被取付部が疑似餌の釣用フック或いは前記釣用フックのハリスに装着されると、被取付部の取付位置から釣用フック側に至る部分（ハリス、釣用フックのシャンク部、又はベント部など）を間に挟むようにして第１シートと第２シートとが左右に振り分けられるように配置される。この場合、第１シートと第２シートとの間に隙間があり、この隙間にハリスやシャンク部、ベンド部が挿通可能である。そのため、第１シート及び第２シートそれぞれは、ハリスやシャンク部、ベンド部などに邪魔されないため、水中において広範囲を揺動することができ、また、それぞれのシートが独立して揺動することができる。これにより、釣用フックとともに釣用装飾体が水中に配置されると、水中において第１シート及び第２シートそれぞれが個別に水の抵抗を受けることにより、それぞれのシートが個別に揺動する。その結果、対象魚へのアピール性を高めることができ、対象魚が喰い気を起こし易くなり、効果的に対象魚のバイトを誘うことが可能となる。
【０００９】
(2)  前記釣用装飾体において、前記隙間は、当該隙間における前記被取付部側の端部を頂点とする三角形状に形成されている。
【００１０】
つまり、前記隙間は、前記第１シート及び前記第２シートの先端部へ向かうにつれて末広がり形状となっている。これにより、水中において、各シートの先端部が滑らかに揺れ動くことができる。
【００１１】
(3)  前記釣用装飾体において、前記第１シートと前記第２シートとが成す角度θは鋭角である。
【００１２】
(4)  より好ましくは、前記角度θは、０°＜θ＜３０°の範囲内で定められた角度である。
【００１３】
(5)  前記釣用装飾体において、前記第１シート及び前記第２シートは、左右対称な形状に形成されている。
【００１４】
(6)  前記釣用装飾体において、前記第１シート及び前記第２シートは、左右非対称な形状に形成されている。
【００１５】
(7)  前記釣用装飾体において、前記第１シート及び前記第２シートそれぞれは、魚類の鰭形状に形成されている。
【００１６】
この構成によれば、前記釣用装飾体が偽物であると気が付き難くなり、その結果、水中において、第１シート及び第２シートによる対象魚へのアピール性が更に高まる。
【００１７】
(8)  また、本考案の他の局面に係る釣用疑似餌は、前記釣用フック或いは前記釣用フックのハリスに装着される請求項１から７のいずれか一つに記載の釣用装飾体と、を備えることを特徴とする。
【００１８】
このような疑似餌であれば、当該疑似餌が水中に配置された状態でロッド操作されることにより、第１シート及び第２シートそれぞれが個別に水の抵抗を受けて、それぞれのシートが個別に揺動することになる。その結果、対象魚へのアピール性を高めることができ、対象魚が喰い気を起こし易くなり、効果的に対象魚のバイトを誘うことが可能となる。
【考案の効果】
【００１９】
本考案によれば、対象魚へのアピール性を高めて、対象魚の喰い気を起こし易くすることが可能である。
【図面の簡単な説明】
【００２０】
【図１】図１は、本考案の実施形態に係る釣用装飾体がトレブルフックに装着された状態（使用状態）を示す斜視図である。
【図２】図２は、本考案の実施形態に係る釣用装飾体を示す斜視図である。
【図３】図３は、本考案の実施形態に係る釣用装飾体が展開された状態を示す展開図である。
【図４】図４は、本考案の実施形態に係る釣用装飾体がルアーに装着された使用例を示す図である。
【図５】図５は、本考案の実施形態に係る釣用装飾体がシングルフックに装着された使用例を示す図である。
【図６】図６は、本考案の実施形態に係る釣用装飾体がオフセットフックに装着された使用例を示す図である。
【図７】図７は、本考案の実施形態に係る釣用装飾体がハリスに装着された使用例を示す図である。
【図８】図８は、本考案の実施形態に係る釣用装飾体の変形例１を示す図である。
【図９】図９は、本考案の実施形態に係る釣用装飾体の変形例２を示す図である。
【図１０】図１０は、本考案の実施形態に係る釣用装飾体の変形例３を示す図である。
【図１１】図１１は、本考案の実施形態に係る釣用装飾体の変形例４を示す図である。
【考案を実施するための形態】
【００２１】
以下、適宜図面を参照して本考案の実施形態について説明する。なお、以下に説明される実施形態は本考案を具体化した一例にすぎず、本考案の技術的範囲を限定するものではない。
【００２２】
図１は、本考案の実施形態に係る釣用装飾体５０（以下、装飾体５０と略称する。）を示す斜視図である。図２は、装飾体５０を示す斜視図である。図３は、装飾体５０が展開された状態を示す展開図である。
【００２３】
図１に示すように、装飾体５０は、トレブルフック１０（本考案の釣用フックの一例）に装着されるものであり、具体的には、装飾体５０の被取付部５５が、トレブルフック１０のシャンク部１１に所定の接続部材５７によって取り付けられている。これにより、装飾体５０がトレブルフック１０に装着される。
【００２４】
図２及び図３に示すように、装飾体５０は軟質材料からなるシート状部材で形成されており、シャンク部１１に接続部材５７（図１参照）によって取り付けられる被取付部５５と、被取付部５５から二方向に延びる第１シート５１及び第２シート５２と、を備える。言い換えると、第１シート５１と第２シート５２とが被取付部５５において接続しており、その接続部である被取付部５５から二方向へ第１シート５１及び第２シート５２がそれぞれ延出している。
【００２５】
接続部材５７は、例えばテグスである。被取付部５５をシャンク部１１に当接させた状態でこれらをテグスによってひとまとめに巻き付けることにより、被取付部５５がシャンク部１１に取り付けられる。なお、接続部材５７は、例えば接着剤や接着テープなどであってもよい。
【００２６】
装飾体５０を構成する軟質材料としては、軟質な樹脂材料であり、熱硬化性エラストマー、熱可塑性エラストマーなどが挙げられる。熱硬化性エラストマーの具体的材料として、シリコンゴムやウレタンゴム、天然ゴム、合成ゴムなどを適用することができる。また、熱可塑性エラストマーの具体的材料として、オレフィン系エラストマー、スチレン系エラストマー、ウレタン系エラストマーなどを適用することができる。更に、上述した複数の具体的材料のうちの二つ以上を混合した混合材料を適用することができる。また、上述した具体的材料の一つ又は二つ以上を主成分とし、当該材料に畜光剤や着色剤、臭い成分、微細化された薄状の光反射材（ラメ部材）、柔軟性や耐候性を改良するための可塑剤、塩又はアミノ酸などの添加剤などが加えられた軟質材料を適用することも可能である。
【００２７】
装飾体５０の厚みは、適用される軟質材料の弾性や剛性に応じて決定されるが、トレブルフック１０に装着された状態の装飾体５０が水中において水流や水圧によって揺らめくように動作する程度のサイズであり、例えば、０．３ｍｍ〜２．０ｍｍの範囲内で定められる厚みである。
【００２８】
なお、装飾体５０の厚みは、全体が均一なサイズであってもよく、或いは、被取付部５５が最も厚く、第１シート５１及び第２シート５２の先端部５１１，５２１へ向かうにつれて徐々に厚みが薄くなっていてもよい。或いは、第１シート５１及び第２シート５２の長手方向（延出方向）の中央部分が最も薄く、被取付部５５又は各シート５１，５２の先端部５１１，５２１へ向かうにつれて徐々に厚みが厚くなっていてもよい。また、逆に、第１シート５１及び第２シート５２の長手方向（延出方向）の中央部分が最も厚く、被取付部５５又は各シート５１，５２の先端部５１１，５２１へ向かうにつれて徐々に厚みが薄くなっていてもよい。
【００２９】
図３に示すように、第１シート５１と第２シート５２との間には、スリット５４（本考案の隙間の一例）が形成されている。スリット５４は、トレブルフック１０のシャンク部１１から針先１２に至る部分の一部又は全部が挿通可能な形状又はサイズに形成されている。本実施形態では、スリット５４は、スリット５４における被取付部５５側の頂部５４Ａを頂点とする三角形状に形成されている。
【００３０】
スリット５４における頂部５４Ａ側の角度θは、鋭角（０°＜θ＜９０°）とされており、好ましくは、前記角度θは、０°＜θ＜３０°の範囲内で定められた角度である。
【００３１】
なお、スリット５４は、三角形状に形成されたものに限られない。例えば、スリット５４は、その横幅が一定サイズに形成された形状であってもよい。
【００３２】
また、図３に示すように、第１シート５１及び第２シート５２は、被取付部５５を通り、第１シート５１及び第２シート５２の延出方向へ延びる基準線Ｌ１（角度θの二等分線）を基準として、左右対称な形状に形成されている。
【００３３】
第１シート５１及び第２シート５２それぞれの形状は、魚類が水中において遊泳したり身体姿勢を制御するために使用する鰭の形状に形成されている。前記鰭は、魚類の体部から薄膜状に突出する運動器であり、一対の胸鰭、一対の腹鰭、背鰭、脂鰭、臀鰭、尾鰭などがあり、第１シート５１及び第２シート５２は、これらのいずれかの鰭の形状を模した形状に形成されている。
【００３４】
図４乃至図７は、装飾体５０の使用例を示す図であり、図４は、装飾体５０がルアー２０に装着された使用例を示す図であり、図５は、装飾体５０がシングルフック１０Ａに装着された使用例を示す図であり、図６は、装飾体５０がオフセットフック１０Ｂに装着された使用例を示す図であり、図７は、装飾体５０が２本針リグのハリスに装着された使用例を示す図である。なお、各図において、同じ機能を有する部分については、図１乃至図３に付した符号と同じ符号を用いる。
【００３５】
図４に示すように、装飾体５０は、ルアー２０（本考案の釣用疑似餌の一例）の腹部２１のフックアイ２１Ａに取り付けられたトレブルフック１０のシャンク部１１に接続部材５７によって取り付けられる。
【００３６】
ここで、ルアー２０は、バスフィッシングやソルトルアーフィッシングなどのルアーフィッシングにおいて、ターゲットとなる対象魚のバイトを誘うための疑似餌である。ルアー２０は、全体が軟質樹脂などの軟質材料で形成されており、可撓性を有する所謂ソフトルアーである。また、ルアー２０は、全体形状がベイトを模した形状に形成されており、具体的には、補食される魚などのベイトフィッシュを模した形状に形成されている。
【００３７】
なお、ルアー２０の形状は、ベイトフィッシュを模した形状に限られず、ターゲットとなる対象魚が補食可能なベイトの形状であればよく、例えば、ミミズやイソメなどのワームの形状、イモリ、蛙、ザリガニ、エビ、カニなどの水棲生物の形状を模したものであってもよい。
【００３８】
ルアー２０は、ソフトルアーに限られず、硬質樹脂、ウッド、金属などのような固い材料で形成された所謂ハードルアーであってもよい。
【００３９】
なお、ルアー２０において、腹部２１のフックアイ２１Ａにハリス（不図示）を介してトレブルフック１０が取り付けられている場合に、装飾体５０は、トレブルフック１０のシャンク部１１に取り付けられていてもよく、また、前記ハリスに連結されていてもよい。もちろん、装飾体５０は、前記シャンク部１１及び前記ハリスの両方に取り付けられていてもよい。
【００４０】
また、腹部２１のフックアイ２１Ａ若しくはトレブルフック１０のアイ１４（連結部）にハリスの一例であるアシストライン（不図示）を介してアシストフック（不図示）が取り付けられている場合に、装飾体５０は、前記アシストフックのシャンク部、又は前記アシストラインに取り付けられていてもよい。
【００４１】
図５に示すように、装飾体５０は、シングルフック１０Ａのシャンク部１１に接続部材５７によって取り付けられる。図５に示すシングルフック１０Ａは、シングルフック１０Ａのアイ１４にハリス１５が連結された状態が示されている。図５に示すように、シングルフック１０Ａに装飾体５０が取り付けられた状態で、シングルフック１０Ａと装飾体５０とを備える釣用疑似餌２０Ａが構成される。
【００４２】
図６に示すように、装飾体５０は、オフセットフック１０Ｂのアイ１４からクランク１６に至るネック部１７に接続部材５７によって取り付けられる。図６に示すように、オフセットフック１０Ｂに装飾体５０が取り付けられた状態で、オフセットフック１０Ｂと装飾体５０とを備える釣用疑似餌２０Ｂが構成される。
【００４３】
なお、装飾体５０の取付位置は、図５及び図６に示す位置に限られない。例えば、各フック１０Ａ，１０Ｂのベント部に取り付けられていてもよい。この場合、装飾体５０は、接続部材５７を用いることなく、針先１２を被取付部に刺し通すことにより各フック１０Ａ，１０Ｂに取り付けられる。
【００４４】
また、装飾体５０は、各フック１０Ａ，１０Ｂに取り付けられる構成に限られず、例えば、図５及び図６において、ハリス１５に装飾体５０の被取付部５５が取り付けられていてもよい。
【００４５】
図７に示すように、装飾体５０は、２本針リグ４０のハリス１５に取り付けられる。２本針リグ４０は、２つのシングルフック１０Ａと、各シングルフック１０Ａのハリス１５と、各ハリス１５が環状に連結されたリーダー連結部４１とを有している。装飾体５０は、その被取付部５５が、各ハリス１５が連結された連結部１５Ａに接続部材５７によって取り付けられている。図７に示すように、２本針リグ４０に装飾体５０が取り付けられた状態で、２本針リグ４０と装飾体５０とを備える釣用疑似餌２０Ｃが構成される。この釣用疑似餌２０Ｃに、例えば、ヘッドと称される錘をリーダー連結部４１に取り付け、更に、ハリス１５や連結部１５Ａにネクタイ又はラバーなどの装飾体を取り付けることにより、釣用疑似餌の一例である所謂タイラバを構成することができる。
【００４６】
このように装飾体５０が構成されているため、装飾体５０がフック１０，１０Ａ，１０Ｂに取り付けられると、フック１０，１０Ａ，１０Ｂの取付部を間に挟むようにして第１シート５１と第２シート５２とが左右に振り分けられるように配置される。この場合、第１シート５１と第２シート５２との間にスリット５４があり、このスリット５４にフック１０，１０Ａ，１０Ｂのシャンク部１１やベント部が挿通可能である。フック１０，１０Ａ，１０Ｂとともに装飾体５０が水中に投じられると、第１シート５１及び第２シート５２それぞれは、シャンク部１１やベンド部に邪魔されないため、水中において水流や水圧、水の抵抗などを受けることにより、広範囲を揺動することができる。また、それぞれのシート５１，５２が独立して揺れ動くことができる。これにより、水中において第１シート５１及び第２シート５２それぞれが個別に水の抵抗を受けることにより、それぞれのシート５１，５２が個別に揺動する。その結果、対象魚へのアピール性を高めることができ、対象魚が喰い気を起こし易くなり、効果的に対象魚のバイトを誘うことが可能となる。なお、装飾体５０がハリス１５に取り付けられた場合も、同様に、第１シート５１及び第２シート５２それぞれは、ハリス１５に邪魔されることなく、水中において広範囲を揺動することができ、また各シートが個別に揺動することができる。
【００４７】
また、本実施形態では、スリット５４が三角形状に形成されている。つまり、スリット５４は、各シート５１，５２の先端へ向かうにつれて末広がり形状となっている。これにより、水中において、各シート５１，５２の先端部５１１，５２１が滑らかに揺れ動くことができる。
【００４８】
また、第１シート５１及び第２シート５２は、基準線Ｌ１を基準にして左右対称な形状に形成されている。このため、水中におけるルアー２０や釣用疑似餌２０Ａ，２０Ｂ，２０Ｃの類似性が高くなり、対象魚に対するアピール性をより一層高めることができる。また、水中をリトリーブされた場合に、ルアー２０や釣用疑似餌２０Ａ，２０Ｂ，２０Ｃにおけるフックの動作が安定し、フックの存在が対象魚に見極められにくくなる。
【００４９】
また、第１シート５１及び第２シート５２は、魚類の鰭の形状に形成されている。このため、装飾体５０が偽物であると気が付き難くなり、その結果、水中において、第１シート５１及び第２シート５２による対象魚へのアピール性が更に高まる。
【００５０】
なお、上述の実施形態では、第１シート５１及び第２シート５２が左右対称である例について説明したが、本考案はこの構成に限られない。例えば、図８に示すように、第１シート５１と第２シート５２の形状、サイズ、大きさが異なっており、左右非対称の形状であってもよい。ここで、図８は、本考案の釣用装飾体の変形例１である装飾体５０Ａを示す図である。装飾体５０Ａにおいて、第２シート５２が第１シート５１よりも長い形状に形成されている。
【００５１】
このように装飾体５０Ａが構成されているため、水中において、第１シート５１と第２シート５２とが別々の動作をすることになる。これにより、水中においてリトリーブされた場合に、各シートが個別に異なる動作をすることになり、ルアー２０や釣用疑似餌２０Ａ，２０Ｂ，２０Ｃにおいて、装飾体５０Ａが変則的な動きをすることになる。その結果、対象魚へのアピール性がより一層高められ、対象魚が喰い気を起こし易くなる。
【００５２】
なお、第１シート５１及び第２シート５２は、上述の実施形態で例示した形状に限られない。例えば、図９に示すように、本考案の釣用装飾体は、幅方向に比べて上下方向に長い第１シート５１Ａ及び第２シート５２Ａを有する装飾体５０Ｂであってもよい。ここで、図９は、本考案の釣用装飾体の変形例２である装飾体５０Ｂを示す図である。
【００５３】
また、例えば、図１０に示すように、本考案の釣用装飾体は、上下方向に比べて幅方向に長い第１シート５１Ｂ及び第２シート５２Ｂを有する装飾体５０Ｃであってもよい。ここで、図１０は、本考案の釣用装飾体の変形例３である装飾体５０Ｃを示す図である。
【００５４】
このように構成された装飾体５０Ｂ，５０Ｃであっても、対象魚へのアピール性を高めることができ、対象魚の喰い気を起こし易くすることができる。
【００５５】
また、上述の実施形態では、第１シート５１と第２シート５２との接続部を被取付部５５としたが、本考案はこの構成に限られない。例えば、図１１（Ａ）、（Ｂ）に示すように、第１シート５１と第２シート５２との接続部から上方へ延びる矩形状の被取付部５５Ａ，５５Ｂが装飾体５０に一体に形成されていてもよい。ここで、図１１（Ａ）、（Ｂ）は、本考案の釣用装飾体の変形例４を示す図である。
【００５６】
例えば、図１１（Ａ）に示すように、装飾体５０に長方形状又は正方形状の被取付部５５Ａを一体に形成することが考えられる。また、図１１（Ｂ）に示すように、装飾体に逆台形状の被取付部５５Ｂを一体に形成することが考えられる。これにより、被取付部５５Ａ，５５Ｂをシャンク部１１などに容易に取り付けることができ、また、取付強度を高めることができる。
【００５７】
また、上述の実施形態では、被取付部５５から二方向に延びる第１シート５１及び第２シート５２と、を備える装飾体５０を例示したが、本考案の釣用装飾体は、被取付部５５から複数方向へ延びる複数のシート（第１シート５１及び第２シート５２と同様のシート）を有する構成であってもよい。また、前記複数のシートは、フック１０，１０Ａ，１０Ｂの取付部を間に挟むようにして左右に振り分けて配置されるように、偶数枚であることが好ましい。
【符号の説明】
【００５８】
１０    ：トレブルフック
１２    ：針先
１４    ：ラインアイ
１５    ：ハリス
１６    ：クランク
１７    ：ネック部
２０    ：ルアー
５０    ：釣用装飾体
５０Ａ  ：装飾体
５０Ｂ  ：装飾体
５０Ｃ  ：装飾体
５１    ：第１シート
５２    ：第２シート
５４    ：スリット
５５    ：被取付部
５７    ：接続部材
【図１】
0003234695.tif 000003
【図２】
0003234695.tif 000004
【図３】
0003234695.tif 000005
【図４】
0003234695.tif 000006
【図５】
0003234695.tif 000007
【図６】
0003234695.tif 000008
【図７】
0003234695.tif 000009
【図８】
0003234695.tif 000010
【図９】
0003234695.tif 000011
【図１０】
0003234695.tif 000012
【図１１】
0003234695.tif 000013